(57)【要約】【課題】エレベータのかごが通常の着床位置とは異なる位置に停止してしまった場合でも、かご内の乗客を可能な限りかご外に脱出させることができるエレベータのかご装置を得る。【解決手段】エレベータのかご室１と、かご室１を支持するかご枠２と、かご室１及びかご枠２間に設けられ、かご室１をかご枠２に対して上下方向に移動させる昇降装置３と、閉じ込め発生時に、昇降装置３を動作させる動作手段４とを備えることにより、エレベータがドアゾーン外に停止した場合に、動作手段４によって昇降装置３を動作させ、かご室１を昇降路内で上下方向に移動させる。【選択図】図１
2008120551.tif 000002
【特許請求の範囲】
【請求項１】
エレベータのかご室と、
前記かご室を支持するかご枠と、
前記かご室及び前記かご枠間に設けられ、前記かご室を前記かご枠に対して上下方向に移動させる昇降装置と、
閉じ込め発生時に、前記昇降装置を動作させる動作手段と、
を備えたことを特徴とするエレベータのかご装置。
【請求項２】
かご室に設けられ、前記かご室がドアゾーンの少なくとも一部に配置されていることを検出できる検出装置と、
を備えたことを特徴とする請求項１に記載のエレベータのかご装置。
【請求項３】
動作手段に近接して設けられ、閉じ込め発生時、検出装置によってかご室がドアゾーン内に配置されていることが検出された場合に、その旨を表示する表示手段と、
を備えたことを特徴とする請求項２に記載のエレベータのかご装置。
【請求項４】
昇降装置の動作を阻止する阻止手段と、
動作手段に近接して設けられ、前記阻止手段による前記昇降装置の動作阻止を解除する解除釦と、
を備えたことを特徴とする請求項１から請求項３の何れかに記載のエレベータのかご装置。
【発明の詳細な説明】
【技術分野】
【０００１】
この発明は、エレベータ昇降路内を昇降するかご装置に関するものである。
【背景技術】
【０００２】
従来では、エレベータのかごが何らかの理由により通常の着床位置とは異なる位置で停止した場合、例えば、上記かごが、乗場ドアがかごドアの開閉動作に連動する範囲（以下、「ドアゾーン」という）内で停止した際には、かごドアを駆動して乗客をかご外（乗場）に脱出させることが可能であるが、かごがドアゾーン外で停止した場合には、かご内の乗客は、救助隊員等によって救出されるまで閉じ込められたままになっていた。
【０００３】
なお、閉じ込め発生時の救出活動に関するものではないが、可変式ダブルデッキエレベータの従来技術として、上下に配置されたかご室をリンク機構を介してかご枠にそれぞれ固定することにより、上下のかご室をかご枠に対して上下動できるように構成されたものが提案されている（例えば、特許文献１参照）。
【０００４】
【特許文献１】特開２００５−１５１３５号公報
【発明の開示】
【発明が解決しようとする課題】
【０００５】
従来では、エレベータのかごが通常の着床位置とは異なる位置で停止すると、かごがドアゾーン内で停止した場合を除き乗客の閉じ込めが発生してしまうため、特に、地震等の広域災害によって多数のエレベータで閉じ込めが発生した場合には、救助活動に多大な時間を要し、かご内に閉じ込められた乗客は、長時間に渡って我慢を強いられることになっていた。また、かごがドアゾーンから僅かに外れただけでも閉じ込めが発生してしまうといったことも、上記問題が生じる一因となっていた。なお、特許文献１記載のものでも上記問題と同様の問題が発生し得る。
【０００６】
この発明は、上述のような課題を解決するためになされたもので、その目的は、エレベータのかごが通常の着床位置とは異なる位置に停止してしまった場合でも、かご内の乗客を可能な限りかご外に脱出させることができるエレベータのかご装置を提供することである。
【課題を解決するための手段】
【０００７】
この発明に係るエレベータのかご装置は、エレベータのかご室と、かご室を支持するかご枠と、かご室及びかご枠間に設けられ、かご室をかご枠に対して上下方向に移動させる昇降装置と、閉じ込め発生時に、昇降装置を動作させる動作手段と、を備えたものである。
【発明の効果】
【０００８】
この発明によれば、エレベータのかごが通常の着床位置とは異なる位置に停止してしまった場合でも、かご内の乗客を可能な限りかご外に脱出させることができる。
【発明を実施するための最良の形態】
【０００９】
この発明をより詳細に説明するため、添付の図面に従ってこれを説明する。なお、各図中、同一又は相当する部分には同一の符号を付しており、その重複説明は適宜に簡略化ないし省略する。
【００１０】
実施の形態１．
図１はこの発明の実施の形態１におけるエレベータのかご装置を示す正面図である。図１において、１はエレベータの乗客が乗って昇降路内を移動するかご室、２は上記かご室１を支持するかご枠であり、このかご枠２は、鋼材等が四角環状を呈するように固定されて、かご室１の上下左右を取り囲むように配置されている。３はかご室１とかご枠２との間に設けられ、かご室１をかご枠２に対して上下方向に移動させる昇降装置、４は上記かご室１が何らかの理由により通常の着床位置とは異なる位置で停止して、閉じ込めが発生した場合に、昇降装置３を動作させる動作手段である。
【００１１】
ここで、上記昇降装置３は、例えば、図１に示すようなパンダグラフ機構やラックピニオン機構を有しており、電動式や油圧式、手動式等の所定の駆動方法によって動作される。なお、５はかご枠２の内側にかご室１に対向して設けられたかご室用ガイドレール、６はかご室１の上下左右に設けられ、上記かご室用ガイドレール５に係合するかご室ガイドシューであり、上記かご室１は、かご室用ガイドレール５及びかご室ガイドシュー６によって、かご枠２に対する上下方向の移動方向が案内される。また、かご室１は、上述の通り、縦向きに配置されたかご枠２の中空部内をかご枠２に対して上下方向に移動可能に構成されているため、その上方及び下方には、かご枠２との間に、昇降装置３による上下動に必要な所定の空間が形成されている。
【００１２】
また、７はかご室１に設けられ、昇降路の固定体の所定位置に設けられた被検出体を検出することにより、かご室１がドアゾーンの少なくとも一部に配置されていることを検出できる検出装置である。この検出装置７は、例えば、通常運転時にかご室１が着床範囲（かご室１の床面と乗場の床面とが面一となる位置から上下所定の誤差範囲）内に配置されていることを検出する着床装置等によって構成される。８は動作手段４に近接して設けられ、閉じ込め発生時、検出装置７によってかご室１がドアゾーン内に配置されていることが検出された場合に、その旨を表示して、動作手段４を操作する者にその操作継続の要否を認識させる表示手段、９は常時付勢され、昇降装置３の誤動作や悪戯等による昇降装置３の動作を防止するために、昇降装置３の動作を阻止する阻止手段、１０は動作手段４に近接して設けられ、要時に、阻止手段９による昇降装置３の動作阻止を解除する解除釦である。
【００１３】
なお、上記解除釦１０は、誤動作や悪戯等によって昇降装置３の動作阻止が解除されることを防止するため、例えば、エレベータの異常発生をかご外部に通報するかご室１内部の非常釦と兼用させたり、エレベータの異常発生時のみ操作が可能となるように、上記非常釦が押された場合のみ解錠される蓋の内側に配置したりしても良い。また、上記動作手段４、表示手段８、解除釦１０は、例えば、かご室１内や所定の乗場、エレベータ機械室等に設けられる。
【００１４】
なお、１１はかご枠２の上部に回動自在に設けられ、主ロープ１２が巻き掛けられたかご吊車、１３はかごドア１４の乗場側側面に突出して設けられたかご側係合体である。このかご側係合体１３は、乗場ドア（図示せず）をかごドア１４の開閉動作に連動させるためのものであり、乗場ドアの昇降路側側面に突出して設けられた乗場側係合体（図示せず）に係合して、ドア駆動装置（図示せず）の駆動力を乗場ドアに伝達する。
【００１５】
上記構成を有するエレベータのかご装置では、エレベータが何らかの理由によりドアゾーン外に停止した場合でも、昇降装置３を動作させて、かご室１をかご枠２に対して上下方向に移動させることにより、巻上機（図示せず）等を動作させることなく、かご室１をドアゾーン内に移動させることができる。このため、巻上機の故障時や非常止め装置の動作時においてもかご室１を昇降路内で昇降させることが可能となり、かご室１内の乗客を安全に乗場に避難させることができる。この場合に、動作手段４、表示手段８、解除釦１０をかご室１内に配置しておけば、救助隊員等の到着を待つことなく、かご室１内の者の操作によって早期に閉じ込め状態を解除することができる。また、動作手段４、表示手段８、解除釦１０を所定の乗場やエレベータ機械室に配置することにより、救助隊員による早期の救出が可能となって、かご室１内の乗客を安全に且つ短時間で救出することができる。
【００１６】
なお、検出装置７をかご室１に設けることにより、昇降装置３によってかご室１をかご枠２に対して上下方向に移動させた場合に、かご室１がドアゾーンに配置されたか否かを正確に検出することが可能となる。この場合、検出装置７を通常の着床装置と兼用しても良く、安価に構成することが可能である。
【００１７】
また、通常運転時におけるかご室１の位置をかご枠１の中央部に配置することにより、昇降装置３の動作時にかご室１を上下何れにも移動させることが可能となり、非常停止時における救出の可能性を高くすることもできる。
【００１８】
なお、上記昇降装置３によるかご室１の移動によってもかご室１内の乗客を救出できない場合に備えて、上記構成のかご装置を備えたエレベータの昇降路内にシェルターを設置して、かご室１内の乗客を避難させるように構成しても良い。
【図面の簡単な説明】
【００１９】
【図１】この発明の実施の形態１におけるエレベータのかご装置を示す正面図である。
【符号の説明】
【００２０】
１  かご室
２  かご枠
３  昇降装置
４  動作手段
５  かご室用ガイドレール
６  かご室ガイドシュー
７  検出装置
８  表示手段
９  阻止手段
１０  解除釦
１１  かご吊車
１２  主ロープ
１３  かご側係合体
１４  かごドア
【図１】
2008120551.tif 000003